【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
Ｗｅｂページにアクセスする端末と、前記端末に接続するサーバとを備えた広告配信システムであって、
前記端末は、
Ｗｅｂページを閲覧するためのブラウザのストレージであって、当該端末のユーザに関する属性情報である第２の属性情報を格納したローカルストレージと、
アクセスしたＷｅｂページに埋め込まれた広告配信用プログラムを実行することにより、前記端末のユーザに関する属性情報である第１の属性情報を前記サーバが取得可能か否かに応じて、当該第１の属性情報及び広告配信要求、又は広告配信要求のみを送信する手段とを備え、
前記サーバは、
前記端末から前記広告配信要求を受信した場合に、前記ローカルストレージに格納された前記第２の属性情報を取得する手段と、
前記第１の属性情報及び前記広告配信要求を受信した場合に、前記第１の属性情報及び前記第２の属性情報に基づいて広告の識別情報を決定し、前記広告配信要求のみを受信した場合に、前記第２の属性情報に基づいて広告の識別情報を決定する手段と、
前記決定した広告の識別情報を前記端末に送信する手段と、を備える広告配信システム。
【請求項２】
前記ローカルストレージに格納された前記第２の属性情報は暗号化され、
前記サーバは、取得した前記第２の属性情報を復号化し、復号化した前記第２の属性情報を前記端末に送信して前記ローカルストレージに保存する手段を備える
請求項１に記載の広告配信システム。
【請求項３】
前記第１の属性情報は、前記端末のユーザと他のユーザとの関係を示す情報を含み、
前記サーバの前記広告の識別情報を決定する手段は、前記端末から前記第１の属性情報及び前記広告配信要求を受信した場合に、前記第１の属性情報に含まれる前記他のユーザとの関係を示す情報を用いて前記広告の識別情報を決定する
請求項１又は２に記載の広告配信システム。
【請求項４】
Ｗｅｂページにアクセスする端末に接続する広告配信サーバであって、
前記端末は、Ｗｅｂページを閲覧するためのブラウザのストレージであって、当該端末のユーザに関する属性情報である第２の属性情報を格納したローカルストレージを備えるものであって、
前記端末から広告配信要求を受信した場合に、前記ローカルストレージに格納された前記第２の属性情報を取得する手段と、
前記端末のユーザに関する属性情報である第１の属性情報及び前記広告配信要求を受信した場合に、前記第１の属性情報及び前記第２の属性情報に基づいて広告の識別情報を決定し、前記広告配信要求のみを受信した場合に、前記第２の属性情報に基づいて広告の識別情報を決定する手段と、
前記決定した広告の識別情報を前記端末に送信する手段と、を備える広告配信サーバ。
【請求項５】
Ｗｅｂページにアクセスする端末と、前記端末に接続するサーバとを用いて広告を配信する広告配信方法であって、
前記端末は、Ｗｅｂページを閲覧するためのブラウザのストレージであって、当該端末のユーザに関する属性情報である第２の属性情報を格納したローカルストレージを備え、
前記端末が、アクセスしたＷｅｂページに埋め込まれた広告配信用プログラムを実行することにより、前記端末のユーザに関する属性情報である第１の属性情報を前記サーバが取得可能か否かに応じて、当該第１の属性情報及び広告配信要求、又は広告配信要求のみを送信し、
前記サーバが、
前記端末から前記広告配信要求を受信した場合に、前記ローカルストレージに格納された前記第２の属性情報を取得し、
前記第１の属性情報及び前記広告配信要求を受信した場合に、前記第１の属性情報及び前記第２の属性情報に基づいて広告の識別情報を決定し、前記広告配信要求のみを受信した場合に、前記第２の属性情報に基づいて広告の識別情報を決定し、
前記決定した広告の識別情報を前記端末に送信する広告配信方法。
【請求項６】
Ｗｅｂページにアクセスする端末に接続する広告配信サーバを用いて広告を配信する広告配信プログラムであって、
前記端末は、Ｗｅｂページを閲覧するためのブラウザのストレージであって、当該端末のユーザに関する属性情報である第２の属性情報を格納したローカルストレージを備えるものであって、
前記広告配信サーバを、
前記端末から広告配信要求を受信した場合に、前記ローカルストレージに格納された第２の属性情報を取得する手段、
前記端末のユーザに関する属性情報である第１の属性情報及び前記広告配信要求を受信した場合に、前記第１の属性情報及び前記第２の属性情報に基づいて広告の識別情報を決定し、前記広告配信要求のみを受信した場合に、前記第２の属性情報に基づいて広告の識別情報を決定する手段、
前記決定した広告の識別情報を前記端末に送信する手段、として機能させることを特徴とする広告配信プログラム。
【手続補正２】
【補正対象書類名】明細書
【補正対象項目名】発明の名称
【補正方法】変更
【補正の内容】
【発明の名称】広告配信システム、広告配信サーバ、広告配信方法、及び広告配信プログラム
【手続補正３】
【補正対象書類名】明細書
【補正対象項目名】０００１
【補正方法】変更
【補正の内容】
【０００１】
本発明は、広告配信システム、広告配信サーバ、広告配信方法、及び広告配信プログラムに関する。
【手続補正４】
【補正対象書類名】明細書
【補正対象項目名】０００９
【補正方法】変更
【補正の内容】
【０００９】
本発明は、上記実情に鑑みてなされたものであり、「ローカルストレージ」に格納されたユーザ属性情報を有効に活用して広告配信を行うことができる広告配信システム、広告配信サーバ、広告配信方法、及び広告配信プログラムを提供することを目的とする。
【手続補正５】
【補正対象書類名】明細書
【補正対象項目名】００１０
【補正方法】変更
【補正の内容】
【００１０】
上記課題を解決する広告配信システムは、Ｗｅｂページにアクセスする端末と、前記端末に接続するサーバとを備えた広告配信システムであって、前記端末は、Ｗｅｂページを閲覧するためのブラウザのストレージであって、当該端末のユーザに関する属性情報である第２の属性情報を格納したローカルストレージと、アクセスしたＷｅｂページに埋め込まれた広告配信用プログラムを実行することにより、前記端末のユーザに関する属性情報である第１の属性情報を前記サーバが取得可能か否かに応じて、当該第１の属性情報及び広告配信要求、又は広告配信要求のみを送信する手段とを備え、前記サーバは、前記端末から前記広告配信要求を受信した場合に、前記ローカルストレージに格納された前記第２の属性情報を取得する手段と、前記第１の属性情報及び前記広告配信要求を受信した場合に、前記第１の属性情報及び前記第２の属性情報に基づいて広告の識別情報を決定し、前記広告配信要求のみを受信した場合に、前記第２の属性情報に基づいて広告の識別情報を決定する手段と、前記決定した広告の識別情報を前記端末に送信する手段と、を備える。
【手続補正６】
【補正対象書類名】明細書
【補正対象項目名】００１１
【補正方法】変更
【補正の内容】
【００１１】
上記課題を解決する広告配信サーバは、Ｗｅｂページにアクセスする端末に接続する広告配信サーバであって、前記端末は、Ｗｅｂページを閲覧するためのブラウザのストレージであって、当該端末のユーザに関する属性情報である第２の属性情報を格納したローカルストレージを備えるものであって、前記端末から広告配信要求を受信した場合に、前記ローカルストレージに格納された前記第２の属性情報を取得する手段と、前記端末のユーザに関する属性情報である第１の属性情報及び前記広告配信要求を受信した場合に、前記第１の属性情報及び前記第２の属性情報に基づいて広告の識別情報を決定し、前記広告配信要求のみを受信した場合に、前記第２の属性情報に基づいて広告の識別情報を決定する手段と、前記決定した広告の識別情報を前記端末に送信する手段と、を備える。
【手続補正７】
【補正対象書類名】明細書
【補正対象項目名】００１２
【補正方法】変更
【補正の内容】
【００１２】
上記課題を解決する広告配信方法は、Ｗｅｂページにアクセスする端末と、前記端末に接続するサーバとを用いて広告を配信する広告配信方法であって、前記端末は、Ｗｅｂページを閲覧するためのブラウザのストレージであって、当該端末のユーザに関する属性情報である第２の属性情報を格納したローカルストレージを備え、前記端末が、アクセスしたＷｅｂページに埋め込まれた広告配信用プログラムを実行することにより、前記端末のユーザに関する属性情報である第１の属性情報を前記サーバが取得可能か否かに応じて、当該第１の属性情報及び広告配信要求、又は広告配信要求のみを送信し、前記サーバが、前記端末から前記広告配信要求を受信した場合に、前記ローカルストレージに格納された前記第２の属性情報を取得し、前記第１の属性情報及び前記広告配信要求を受信した場合に、前記第１の属性情報及び前記第２の属性情報に基づいて広告の識別情報を決定し、前記広告配信要求のみを受信した場合に、前記第２の属性情報に基づいて広告の識別情報を決定し、前記決定した広告の識別情報を前記端末に送信する。
上記課題を解決する広告配信プログラムは、Ｗｅｂページにアクセスする端末に接続する広告配信サーバを用いて広告を配信する広告配信プログラムであって、前記端末は、Ｗｅｂページを閲覧するためのブラウザのストレージであって、当該端末のユーザに関する属性情報である第２の属性情報を格納したローカルストレージを備えるものであって、前記広告配信サーバを、前記端末から広告配信要求を受信した場合に、前記ローカルストレージに格納された第２の属性情報を取得する手段、前記端末のユーザに関する属性情報である第１の属性情報及び前記広告配信要求を受信した場合に、前記第１の属性情報及び前記第２の属性情報に基づいて広告の識別情報を決定し、前記広告配信要求のみを受信した場合に、前記第２の属性情報に基づいて広告の識別情報を決定する手段、前記決定した広告の識別情報を前記端末に送信する手段、として機能させる。
【手続補正８】
【補正対象書類名】明細書
【補正対象項目名】００１３
【補正方法】変更
【補正の内容】
【００１３】
本発明によれば、「ローカルストレージ」に格納されたユーザ属性情報を有効に活用して広告配信を行うことができる広告配信システム、広告配信サーバ、広告配信方法、及び広告配信プログラムを提供することができる。